(57)【特許請求の範囲】
【請求項１】
複合編目形成−目移しカムとして構成される少なくとも１つの針カム（１００）を持つ横編機用カムシステムであって、針カム（１００）の部分的に移動可能なカム部分（１２０，１３０，１４０，１５０，１６０、Ａ，Ｂ，Ｃ）により、編針（２００）の編目形成、タック形成、編目引渡し及び引受けの機能のため、針床（２５０）の針溝に設けられる編針（２００）の駆動バット（２１０）用の異なる通路曲線（ＳＴ，ＦＡ，ＵＧ，ＵＮ）が形成可能であるものにおいて、針カム（１００）が互いに離れた２つの始動個所（ＡＳ１，ＡＳ２）をカムシステムの各運動方向に持ち、これらの始動個所（ＡＳ１，ＡＳ２）において駆動バット（２１０）が、移動可能なカム部分の切換え位置に応じて２つの異なる通路曲線のそれぞれ１つに係合可能であり、駆動バット（２１０）が、これらの始動個所（ＡＳ１，ＡＳ２）において、針床（１５０）に沈下した位置から、針床（１５０）から突出する位置へもたらされることを特徴とする、カムシステム。
【請求項２】
針カム（１００）が、その中心軸線（Ｍ）に対して対称に設けられる２つの引下げ部分（１２０，１３０）を持ち、第１の始動個所（ＡＳ１）が、カムシステムの運動方向（１１０）において先行する引下げ部分（１２０）の前に設けられ、第２の始動個所（ＡＳ２）が、この引下げ部分（１２０）の後に設けられていることを特徴とする、請求項１に記載のカムシステム。
【請求項３】
編目形成カムとしての針カム（１００）の切換えにおいて、第１の始動個所（ＡＳ１）における編針（２１０）の駆動バット（２１０）と針カム（１００）との係合によって、編目が形成可能であり、第２の始動個所（ＡＳ２）における編針（２００）の駆動バット（２１０）と針カム（１００）との係合によってそれぞれ１つのタックが形成可能であることを特徴とする、請求項１又は２に記載のカムシステム。
【請求項４】
目移しカムとしての針カム（１００）の切換えにおいて、第１の始動個所（ＡＳ１）における編針（２００）の駆動バット（２１０）と針カム（１００）との係合によって、それぞれ１つの編目が引渡し可能であり、第２の始動個所（ＡＳ２）における編針（２００）の駆動バット（２１０）と針カム（１００）との係合によって、それぞれ１つの編目が引受け可能であることを特徴とする、請求項１〜３の１つに記載のカムシステム。
【請求項５】
針カム中央（Ｍ）の範囲において、タックカム部分（Ａ）又は引受けカム部分（Ｂ）が選択的に動作位置へ切換え可能であることを特徴とする、請求項１〜４の１つに記載のカムシステム。
【請求項６】
第２の始動個所（ＡＳ２）がタックカム部分（Ａ）及び引受けカム部分（Ｂ）の前に設けられていることを特徴とする、請求項５に記載のカムシステム。
【請求項７】
先行する引下げ部分（１２０）の異なる位置により、編針（２００）が選択的に編目形成位置又は編目引渡し位置へ針溝内で押出し可能であることを特徴とする、請求項１〜６の１つに記載のカムシステム。
【請求項８】
針カム（１００）により、１つの駆動バット（２１０）のみを持つ編針（２００）が運動可能であることを特徴とする、請求項１〜７の１つに記載のカムシステム。
【発明の詳細な説明】
【技術分野】
【０００１】  本発明は、複合編目形成−目移しカムとして構成される少なくとも１つの針カムを持つ横編機用カムシステムであって、針カムの部分的に移動可能なカム部分により、編目形成、タック形成、編針の編目引渡し及び引受けの機能のため、針床の針溝に設けられる編針の駆動バット用の異なる通路曲線が形成可能であるものに関する。
【背景技術】
【０００２】  このようなカムシステムは既に久しく公知である。例えばドイツ連邦共和国特許出願公開第３４３３６２８号明細書は、横編機の編針用の複数の異なる押出し曲線を持つ編成カムを記載している。カム部分の位置に応じて編針の駆動バット用の曲線が形成され、編目形成、タック形成、編目の引渡し、編目の引受けのため編針を押出し、続いて針溝へ戻す。その際編針の駆動バットは、編目引渡しのためにのみ、先行する目外しカムの前で始動される。他の３つの機能のために、駆動バットが更に内側にあって針カムで始動され、カム部分の適当な移動によって異なる機能が行われ、カム部分がその切換え位置に応じて３つの異なる通路曲線を形成する。この公知のカムは、従って比較的多くのカム部分を必要とし、構造及び製造に費用がかかる。
【発明の概要】
【発明が解決しようとする課題】
【０００３】  従って本発明の基礎になっている課題は、できるだけ少数の移動可能なカム部分を持つ横編機用カムシステムを提供することである。
【課題を解決するための手段】
【０００４】  本発明によればこの課題は最初にあげた種類のカムシステムにおいて、針カムが互いに離れた２つの始動個所をカムシステムの各運動方向に持ち、これらの始動個所において駆動バットが、移動可能なカム部分の切換え位置に応じて２つの異なる通路曲線のそれぞれ１つに係合可能であることによって解決される。【０００５】  針カムにより生じる編針の４つの異なる運動経過を針バット用の２つの選択個所に分割し、各選択個所において移動可能なカム部分の切換えにより、２つの可能な通路曲線のそれぞれ１つを形成できることによって、本発明によるカムシステムは、従来技術による針カムより少ないカム部分で足りる。【０００６】  好ましい構成では、針カムが、その中心軸線に対して対称に設けられる２つの引下げ部分を持ち、第１の始動個所が、カムシステムの運動方向において先行する引下げ部分の前に設けられ、第２の始動個所が、この引下げ部分の後に設けられている。それにより引下げ部分は、編針の駆動バットに対して２つの異なる通路曲線の側方限界を形成する。【０００７】  その際編目形成カムとしての針カムの切換えにおいて、第１の始動個所における編針の駆動バットと針カムとの係合によって、編目が形成可能であり、第２の始動個所における編針の駆動バットと針カムとの係合によってそれぞれ１つのタックが形成可能であるのが更に好ましい。それに応じて目移しカムとしての針カムの切換えにおいて、第１の始動個所における編針の駆動バットと針カムとの係合によって、それぞれ１つの編目が引渡し可能であり、第２の始動個所における編針の駆動バットと針カムとの係合によって、それぞれ１つの編目が引受け可能である。こうして編目形成カムとして又は目移しカムとしての針カムの切換えに関係して、第１の始動個所において編目形成又は編目引渡しのため編針の選択を行い、第２の始動個所において、タック形成及び編目引受けのため編針の選択を行うことができる。【０００８】  針カム中央の範囲において、タックカム部分又は引受けカム部分が選択的に動作位置へ切換え可能であると、カムシステムが特に簡単な構造をとる。これら両方のカム部分の選択的な始動により、針カム全体を編目形成カムとして又は目移しカムとして切換えることができる。【０００９】  その際第２の始動個所がタックカム部分及び引受けカム部分の前に設けられていると有利である。それにより編針の始動される駆動バットの案内を、タック曲線又は引受け曲線によって保証することができる。【００１０】  本発明によるカムシステムの針カムにより、１つの駆動バットのみを持つ編針が運動可能であるのがよい。１つの駆動バットのみを持つ編針は小さい長さを持ち、複数の駆動バットを持つ編針より簡単に選択可能である。【００１１】  更に本発明によれば、編針の駆動バットが、始動個所において、針床に沈下した位置から、針床から突出する位置へもたらされる。これは、例えば選針カム装置及び／又はシンカカム装置を介して行うことができる。しかし編針の駆動バットは、編針を選択しない場合にも、プレッサカム部分により針床へ沈下可能である。【００１２】  本発明によるカムシステムの好ましい実施例が、図面により以下に説明される。
【図面の簡単な説明】
【００１３】
【図１】  駆動バットが動作しない編針の概略図（ａ）、及び動作しない駆動バットの通路を記入されかつ編目形成カムとして切換えられている針カムの概略図（ｂ）を示す。
【図２】  駆動バットが動作している編針の概略図（ａ）、及び動作している駆動バット用の通路曲線を持ちかつ編目形成カムとして切換えられている針カムの概略図（ｂ）を示す。
【図３】  駆動バットが動作しない編針の概略図（ａ）、及び動作しない駆動バットの通路を記入されかつ見移しカムとして切換えられている針カムの概略図（ｂ）を示す。
【図４】  動作している駆動バットを持つ編針の概略図（ａ）及び駆動バット用の通路を記入されかつ目移しカムとして切換えられている針カムの概略図（ｂ）を示す。
【図５】  編目形成カムとして切換えられている針カム及び目移しカムとして切換えられている針カムの概略図を示し、動作している駆動バット用の通路曲線も記入されている。
【発明を実施するための形態】
【００１４】  図１ａ，２ａ，３ａ及び４ａは、端部に駆動バット２１０を設けられた編針２００をそれぞれ概略図で示し、駆動バット２１０を設けられる揺動レバー２２０は、限定された範囲で揺動可能に針幹２３０に設けられている。編針２００は針床２５０内にある。
【００１５】  図１ａでは、編針２００の駆動バット２１０は始動されていない。この状態で駆動バット２１０は針幹２３０から突出しておらず、従って図１ｂに示す針カム１００に係合することはできない。それにより針カム１００が鎖線で記入されて水平に延びる線３００に沿って矢印方向１１０に動く間、駆動バット２１０は針カム１００を通過する。従って編針２００の駆動は行われない。
【００１６】  図１ｂによれば、針カム１００は編目形成カムとして切換えられている。針カム１００は運動方向１１０において先行する引下げ部分１２０及び追従する引下げ部分１３０を持っている。両方の引下げ部分１２０，１３０は、それぞれ両方向矢印１２５，１３５の方向に移動可能に設けられている。引下げ部分１２０，１３０の移動の際、これらの引下げ部分に固定的に結合される橋絡片状カム部分１４０，１５０も一緒に移動される。中心線Ｍに対して対称に構成されている針カム１００の中央に、針カム１００が属するカムシステムの両方の運動方向に同じ針運動を可能にするために、台形状の固定カム部分１６０が設けられている。カム部分１６０のすぐ上に、積極的に又は非積極的に切換え可能なタックカム部分Ａが設けられている。タックカム部分Ａの上に間隔をおいて、扁平な台形状の固定カム部分Ｃが設けられている。編針２００の駆動バット２１０は、２つの異なる個所ＡＳ１及びＡＳ２において始動可能であろうが、これは図１に示す場合には起こらず、即ち編針２００は針カム１００によって動かされない。
【００１７】  図２は再び編目形成カムとして切換えられている針カム１００を示す。すべてのカム部分１２０，１３０，１４０，１５０，１６０、Ａ及びＣは、図１ｂに示すのと同じ位置にある。しかし図２ａによれば、編針２００の駆動バット２１０が始動され、それにより針幹２３０から突出し、従って針カム１００により捕捉可能である。始動個所ＡＳ１において始動が行われると、駆動バット２１０が先行する引下げ部分１２０により鎖線ＳＴに沿って押出され、引下げ部分１２０と橋絡片状カム部分１４０との間の通路を通り、それからカム部分Ｃを通り、続いて追従する引下げ部分１３０により再び下方へ動かされる。駆動バット２１０が通路曲線ＳＴに従うと、編針２００により編目を形成することができる。これに反し編針２００の駆動バット２１０が、先行する引下げ部分１２０の後に設けられている始動個所ＡＳ２で初めて始動されると、駆動バット２１０は先行する引下げ部分１２０を通過し、それからカム部分１６０及びＡの側面に沿いかつカム部分ＡとＣとの間を通りかつ追従する引下げカム１３０に沿って再び下方へ延びる通路曲線ＦＡに従って動く。駆動バット２１０が通路曲線ＦＡに従うと、編針２００によりタックを形成することができる。
【００１８】  図３ａは、図１ａのように編針２００の始動されない位置を示す。駆動バット２１０は針カム１００によっては捕捉されない。従って駆動バットは図１と同様に水平な軌道３００上を通過する。しかし図１ｂとは異なり図３ｂは、目移しカムとしての位置にある針カム１００を示す。編目形成カム切換えと比較して、先行する引下げ部分１２０が更に上方へ移動されている。タックカム部分Ａはカム部分１６０から離れて不動作位置へもたらされ、図示した例では下の位置から上の位置へ動かされている。
【００１９】  図４ａでは、編針２００の駆動バット２１０が始動され、この始動は、先行する引下げ部分１２０の前の始動個所ＡＳ１又は引下げ部分１２０の後の始動個所ＡＳ２で行うことができる。始動個所ＡＳ１で始動が行われると、駆動バット２１０は、引下げ部分１２０に沿って上方へ引下げ部分１２０と橋絡片状カム部分１４０との間を通りかつカム部分Ｃを通過しかつ追従する引下げ部分１３０に沿って再び下方へ延びる通路曲線ＵＧに従う。駆動バット２１０が曲線ＵＧに従うと、編針２００は編目引渡しのための押出される。
【００２０】  これに反し始動個所ＡＳ２で駆動バット２１０の始動が行われると、まで動作しない駆動バット２１０は先行する引下げ部分１２０を通過し、それからカム部分１６０とＡとの間の通路曲線ＵＮに従い、引下げ部分１３０に沿って再び下方へ動かされる。駆動バット２１０２１０が通路曲線ＵＮに従うと、編目を引受けることができる。
【００２１】  図５は、２つの針カム１００が横に並んでいる図を示し、左に示す図２による針カムが編目形成カムとして切換えられ、右に示す図４による針カムが目移しカムとして切換えられている。この図は、始動される編針の駆動バットが針カム１００を通ってとることができる４つの通路曲線ＳＴ，ＦＡ，ＵＧ及びＵＮを示す。更に編目形成カム及び目移しカムとしての針カム１００の切換えの相違が認められる。編目形成カムの切換えにおいて、運動方向１１０に延びる引下げ部分１２０が、右に示す目移しカム切換えにおけるより低い所に設けられている。図１〜４に示す針カムとは異なり、編目引受けとタック形成との区別は、カム部分Ａの移動によっては行われず、カム部分Ａ又はＢの選択的な遮断によって行われる。カム部分の始動又は停止は、駆動バット２１０の係合範囲からのカム部分の没入又は引戻しによって行われる。
【００２２】  図５ａではカム部分Ａが動作に、カム部分Ｂが不動作に切換えられている。始動個所ＡＳ２における駆動バット２１０の始動の際、編針はタックを編む。
【００２３】  図５ｂではカム部分Ｂが動作に、カム部分Ａが不動作に切換えられている。始動個所ＡＳ２における駆動バット２１０の始動の際、編針は編目を引受ける。
【００２４】  針カム１００の切換え位置及び始動個所ＡＳ１又はＡＳ２における駆動バットの選択に応じて、編針の駆動バットが４つの通路曲線ＳＴ，ＦＡ，ＵＧ又はＵＮの１つを通り、それにより編針が可能な機能の１つ、即ち編目形成、タックの形成、編目引渡し又は編目引受けを行うことができる。
【図１】
0005397639.tif 000002
【図２】
0005397639.tif 000003
【図３】
0005397639.tif 000004
【図４】
0005397639.tif 000005
【図５】
0005397639.tif 000006